(57)【要約】      （修正有）【課題】断熱材を巻いた配管をパッケージ外に取り出す場合に、配管が挿通する取り出し開口部と断熱材を巻いた配管外周面との隙間を閉塞する構成を提示する。【解決手段】冷媒を吸入・吐出する圧縮機、冷媒−空気熱交換器、膨張弁および循環液と冷媒とが熱交換する冷媒−循環液熱交換器をパッケージに収納したヒートポンプ式チラーにおいて、冷媒−循環液熱交換器に設けた循環液入口管７１および循環液出口管の取り出し開口部２ｂをパッケージ外板２ａに設け、パッケージ内部に位置する循環液入口管および循環液出口管に巻き付ける断熱材８０の厚さを、取り出し開口部中心と管中心の芯ずれによって生じる隙間８５より大きくしたことを特徴とする。【選択図】図４
2016008772.tif 000002
【特許請求の範囲】
【請求項１】
冷媒を吸入・吐出する圧縮機、冷媒−空気熱交換器、冷媒−空気熱交換器、膨張弁および循環液と冷媒とが熱交換する冷媒−循環液熱交換器をパッケージに収納したヒートポンプ式チラーにおいて、
冷媒−循環液熱交換器に設けた循環液入口管および循環液出口管の取り出し開口部をパッケージ外板に設け、パッケージ内部に位置する循環液入口管および循環液出口管に巻き付ける断熱材の厚さを、取り出し開口部中心と管中心の芯ずれによって生じる隙間より大きくしたことを特徴とするヒートポンプ式チラー。
【発明の詳細な説明】
【技術分野】
【０００１】
本発明は、冷媒の凝縮熱又は蒸発熱により循環液の温度を調節するのに最適なヒートポンプ式チラーに関する。
【背景技術】
【０００２】
従来、ヒートポンプサイクルを利用した空気調和機は、熱交換器、室外ファン等の構成機器を筐体としての室外機本体（本体箱体）内に収納する室外機を備えている。かかる空気調和機は、断熱材付きの冷媒配管を本体箱体に外付けした外部パネルに排気口を設け、この排気口から、外周面が断熱材で被覆された冷媒配管を取り出す構成である（例えば、特許文献１参照）。
【先行技術文献】
【特許文献】
【０００３】
【特許文献１】特許第４３９１３６８号
【発明の概要】
【発明が解決しようとする課題】
【０００４】
しかし、特許文献１は、本体箱体に外部パネルを外付けする必要がある上、排気口は冷媒配管を取り出すために大きく形成されており、その結果、排気口と冷媒配管との隙間から雨水が浸入する可能性がある。
【０００５】
そこで、本発明は、断熱材を巻いた配管をパッケージ外に取り出す場合に、配管が挿通する取り出し開口部と断熱材を巻いた配管外周面との隙間を閉塞する構成を提示することを目的とする。
【課題を解決するための手段】
【０００６】
本発明は、前記課題を解決するためになされたもので、冷媒を吸入・吐出する圧縮機、冷媒−空気熱交換器、膨張弁および循環液と冷媒とが熱交換する冷媒−循環液熱交換器をパッケージに収納したヒートポンプ式チラーにおいて、冷媒−循環液熱交換器に設けた循環液入口管および循環液出口管の取り出し開口部をパッケージ外板に設け、パッケージ内部に位置する循環液入口管および循環液出口管に巻き付ける断熱材の厚さを、取り出し開口部中心と管中心の芯ずれによって生じる隙間より大きくしたことを特徴とする。
【発明の効果】
【０００７】
本発明は、冷媒−循環液熱交換器に設けた循環液入口管および循環液出口管の取り出し開口部をパッケージ外板に設け、パッケージ内部に位置する循環液入口管および循環液出口管に巻き付ける断熱材の厚さを、取り出し開口部中心と管中心の芯ずれによって生じる隙間より大きくしたことにより、パッケージ外板の取り出し開口部中心とパッケージ外部に突き出した循環液入口管および循環液出口管の管中心の芯ずれによって生じる隙間を塞ぐことができるので、隙間を介してパッケージ内に雨水等が吹き込むのを防止できる。
【図面の簡単な説明】
【０００８】
【図１】本実施形態に係るヒートポンプ式チラーの概略を示す構成図である。
【図２】本実施形態に係るヒートポンプ式チラーの循環液回路部分の外観を示す斜視図である。
【図３】本実施形態に係るヒートポンプ式チラーの循環液入口管の要部を示す一部断面を含む斜視図である。
【図４】本実施形態に係るヒートポンプ式チラーの循環液入口管の要部を示す断面図である。
【図５】本実施形態に係るヒートポンプ式チラーの循環液回路の部分を示す平面図である。
【図６】本実施形態に係るヒートポンプ式チラーの循環液回路の部分を示す側面図である。
【図７】他の実施形態に係る循環液入口管の要部を示す断面図である。
【図８】他の実施形態に係る循環液入口管の要部を示す断面図である。
【発明を実施するための形態】
【０００９】
以下、本発明に係る本実施形態について図面を参照しながら説明する。図１は、本実施の形態に係るヒートポンプ式チラー（以下、単にチラーと称する。）１の概略を示す構成図である。
【００１０】
チラー１は、図１に示すように、例えば循環液流路７を流れる循環液の温度を調節するものである。循環液とは、熱媒体として機能するものであれば特に限定されるものではなく、例えば水を例示できる。循環液流路７は、入水幹管７a、出水幹管７ｂおよびチラー１の循環液回路５とから構成されている。
【００１１】
チラー１は、温水運転または冷水運転を実行できる構成となっている。チラー１は、パッケージ外板２ａを箱状に形成した筐体（パッケージ）２と、冷媒が循環する冷媒回路３と、循環液が流れる循環液回路５と、エンジン冷却水が循環する冷却水回路（図示省略）とを備えている。
【００１２】
冷媒回路３は、圧縮機３０、エンジン３１、四方弁３２、ファン３３ａを備える冷媒―空気熱交換器３３、冷媒―循環液熱交換器（水熱交換器）３５、膨張弁３６、ブリッジ回路３７およびエンジン排熱回収器（図示省略）を備えている。これら冷媒回路等の構成機器は、パッケージ２に収納されている。
【００１３】
圧縮機３０はエンジン３１を駆動源として駆動され、吸入経路１２から冷媒を吸入し、その冷媒を圧縮し、その冷媒を吐出経路１１から吐出する。四方弁３２は、冷水運転時に吐出経路１１を冷媒―空気熱交換器３３に接続されたガス経路１３に接続し、且つ吸入経路１２を水熱交換器３５に接続されたガス経路１４に接続する。また、四方弁３２は、温水運転時に吐出経路１１をガス経路１４に接続し、且つ吸入経路１２をガス経路１３に接続する。
【００１４】
なお、冷水運転とは、循環液流路７の循環液を冷却する運転状態をいい、温水運転とは、循環液流路７の循環液を加熱する運転状態をいう。
【００１５】
冷媒―空気熱交換器３３は、冷水運転時に空気を放熱源として冷媒を液化する凝縮器として機能し、温水運転時に空気を吸熱源として冷媒を気化する蒸発器として機能する。
【００１６】
水熱交換器３５は、冷水運転時に気液二相冷媒を放熱源として水を冷却する冷却器として機能し、温水運転時に吐出経路１１の冷媒を吸熱源として水を加熱する加熱器として機能する。
【００１７】
膨張弁３６は、温水運転時では冷媒―空気熱交換器３３に向かう液状態の冷媒の流量を調整し、冷水運転時では水熱交換器３５に向かう液状態の冷媒の流量を調整する。
【００１８】
ブリッジ回路３７は、図示省略の４つの逆止弁を備えており、冷水運転時または温水運転時に応じて冷媒の流れを切り換えることにより、冷媒が膨張弁３６に向けて流れようにする。
【００１９】
図２は、チラー１の循環液回路５の部分の外観を示す斜視図、図３は、循環液入口管７１の要部を示す一部断面を含む斜視図、図４は、循環液入口管７１の要部を示す断面図、図５は、循環液回路の部分を示す平面図、図６は、循環液回路５部分を示す側面図である。
【００２０】
循環液回路５は、水熱交換器３５、循環液入口管７１及び循環液出口管７２を備えている。循環液入口管７１は、水熱交換器３５に接続されている第１入水経路７１ａと、循環液流路７の入水幹管７aに接続されている第２入水経路７１ｂとを備えている。第１入水経路７１ａおよび第２入水経路７１ｂの先端部には、フランジ７１ｃ、７１ｄがそれぞれ設けられており、フランジ７１ｃ、７１ｄ同士がボルト７５で連結されている。
【００２１】
循環液出口管７２は、第１出水経路７２ａと第２出水経路７２ｂとを備えている。すなわち、第１出水経路７２ａは、水熱交換器３５に接続されている。第２出水経路７２ｂは、循環液流路７の出水幹管７ｂに接続されている。また、第１出水経路７２ａおよび第２出水経路７２ｂの先端部には、フランジ７２c、７２ｄがそれぞれ設けられており、フランジ７２c、７２ｄ同士がボルトで連結されている。
【００２２】
パッケージ外板２ａには、第１入水経路７１ａおよび第１出水経路７２ａを外部に出すための取り出し開口部２ｂがそれぞれ形成されている。そして、第１入水経路７１ａおよび第１出水経路７２ａは、各取り出し開口部２ｂから外部に突出している。
【００２３】
循環液入口管７１および循環液出口管７２は、断熱材８、９で適宜被覆されている。特に、循環液入口管７１の第１入水経路７１ａおよび循環液出口管７２の第１出水経路７２ａは、断熱材８０、９０で被覆されている。なお、第１入水経路７１ａに巻き付けられる断熱材８０と第１出水経路７２ａに巻き付けられる断熱材９０とは、同一構成であるため、断熱材８０について説明する。
【００２４】
断熱材８０は、例えば、発泡ポリエチレン等の合成樹脂製の筒状配管用保温・保冷断熱材で、パッケージ外板２ａ内部に位置する大径部８２と、パッケージ外板２ａ外部に位置する小径部８１とが一体成形されている。パッケージ２に形成された取り出し開口部２ｂの内径ｄ１は、小径部８１の外径Ｄ２よりも大きく設定されている。すなわち、パッケージ外板２ａの取り出し開口部２ｂの開口周縁と小径部８１外周面との間には、隙間８５が生じている。このようにすることにより、パッケージ外板２ａと循環液入口管７１（水熱交換器３５）との相対的な取付け誤差を吸収できるようになっている。
【００２５】
また、大径部８２の直径Ｄ１は、パッケージ外板２ａの取り出し開口部２ｂの内径ｄ１よりも大きく設定されている。すなわち、大径部８２の端面８２ａの直径方向の突出寸法は、隙間８５の寸法よりも大きく設定されている。パッケージ２内部に位置する循環液入口管７１に巻き付ける断熱材８０の厚さを、取り出し開口部２ｂ中心と循環液入口管７１の管中心の芯ずれによって生じる隙間８５より大きくしたことにより、大径部８２の端面８２ａとパッケージ外板２ａの取り出し開口部２ｂ近傍の側面とを面接触させる状態としている。この結果、大径部８２とパッケージ外板２ａとの間が閉塞されているため、水密性が確保されている。
【００２６】
なお、例えば、断熱材８０の軸方向全長には、切れ込み８６が形成されており、この切れ込み８６を広げて断熱材８０を弾性変形させることにより、断熱材８０を第１入水経路７１ａに外嵌することができる。また、断熱材８０はバンド体（図示省略）により、締結固定されている。
【００２７】
本実施形態のチラー１は以上の構成からなる。チラー１の冷却運転時には、冷媒の流れ経路は、圧縮機３０、四方弁３２、冷媒−空気熱交換器３３、ブリッジ回路３７、膨張弁３６、ブリッジ回路３７、水熱交換器３５、四方弁３２、圧縮機３０となり、冷凍サイクルを実行する。
【００２８】
また、チラー１の加熱運転時には、冷媒の流れ経路は、圧縮機３０、四方弁３２、水熱交換器３５、ブリッジ回路３７、膨張弁３６、ブリッジ回路３７、冷媒−空気熱交換器３３、四方弁３２、圧縮機３０となり、加熱サイクルを実行する。
【００２９】
台風等の雨天の場合には、雨水等がパッケージ２の外板２ａに向けて吹き込もうとする場合があるが、パッケージ外板２ａの取り出し開口部２ｂ中心と、パッケージ２外部に突き出した循環液入口管７１および循環液出口管７２の管中心の芯ずれによって生じる隙間８５を、断熱材８０、９０で塞ぐことができるので、雨水等がパッケージ２内に吹き込むのを防止できる。
【００３０】
図７および図８は、本発明の他の実施形態を示す。なお、図４に示す部材と同一部材には同一符号を付して説明を省略する。図７に示す本実施形態は、小径部８１と大径部８２とが別部材から構成されている場合を例示する。すなわち、小径部８１と大径部８２とが連続して第１入水経路７１ａおよび第１出水経路７２ａに巻き付けられている。
【００３１】
図８に示す実施形態は、大径部８２を外板２ａの内外にわたって設け、大径部８２の周方向全周に周溝（スリット）８７が形成されている。そして、スリット８７には外板２ａの開口部２ｂの周縁部が嵌合されている。
【００３２】
本発明は前記実施形態に限定されるものではない。断熱材８０、９０は、長尺状のテープを第１入水経路７１ａおよび第１出水経路７２ａに巻き付けたものであってもよい。なお、断熱材８０、９０を巻き付けるとは、断熱材８０、９０で第１入水経路７１ａおよび第１出水経路７２ａ等の配管の表意を被覆することをいい、例えば、筒状の断熱材８０、９０を配管に外嵌したり、長尺状のテープを巻回したりする場合をいう。
【００３３】
本実施の形態に係るチラー１は、冷却運転と加熱運転とを切替可能な構成となっているが、本発明は、冷却運転のみを実施可能なチラーに対しても適用可能である。
【符号の説明】
【００３４】
１        ヒートポンプ式チラー（チラー）
２        筐体（パッケージ）
２ａ      パッケージ外板
２ｂ      取り出し開口部
３        冷媒回路
５        循環液回路
７        循環液流路
７ａ      入水幹管
７ｂ      出水幹管
１０      冷媒回路
１１      吐出経路
１２      吸入経路
１３      ガス経路
１４      ガス経路
３０      圧縮機
３１      エンジン
３２      四方弁
３３      冷媒―空気熱交換器
３５      冷媒―循環液熱交換器（水熱交換器）
３６      膨張弁
７１      循環液入口管
７１ａ    第１入水経路
７１ｂ    第２入水経路
７２      循環液出口管
７２ａ    第１出水経路
７２ｂ    第２出水経路
８０      断熱材
８１      小径部
８２      大径部
８５      隙間
８７      周溝（スリット）
９０      断熱材
９１      小径部
９２      大径部
【図１】
2016008772.tif 000003
【図２】
2016008772.tif 000004
【図３】
2016008772.tif 000005
【図４】
2016008772.tif 000006
【図５】
2016008772.tif 000007
【図６】
2016008772.tif 000008
【図７】
2016008772.tif 000009
【図８】
2016008772.tif 000010